(57)【要約】【課題】各モード時に使用するボタンのみ露呈させる。【解決手段】デジタルカメラ２は、カメラ本体３とスライドカバー４とを備える。。スライドカバー４は、カメラ本体３の前面、上面、背面、下面を覆うように形成され、カメラ本体３にスライド可能に取り付けられる。スライドカバー４は、未使用状態では、レンズ鏡筒７、対物側ファインダ窓９、ストロボ発光部１０、シャッタボタン１２、画像表示ボタン１３、メニューボタン１４、接眼側ファインダ窓２６、操作部２７を覆っている。操作部２７は、拡大ボタン３１、縮小ボタン３２、送りボタン３３、戻しボタン３４、ＯＫボタン３５、キャンセルボタン３６、再生拡大ボタン３７と再生縮小ボタン３８から構成される。スライドカバー４は、設定モード、再生モード、撮影モードでは、各モード時に使用するものを露呈させ、使用しないものを覆う。【選択図】　　　　図２
2004069830.tif 000002
【特許請求の範囲】
【請求項１】
撮影レンズと複数の操作部材とを有し、複数の操作モードで操作可能なカメラにおいて、
前記撮影レンズと複数の操作部材とを覆うように形成され、前記撮影レンズと複数の操作部材とを個々に露呈させることができる露呈孔が設けられ、前記カメラに移動自在に取り付けられたカバー部材を備え、前記カバー部材は、未使用時には前記撮影レンズと複数の操作部材とを覆う位置まで移動され、複数の操作モードのそれぞれの操作モード時には前記撮影レンズと複数の操作部材とのうち使用するものを前記露呈孔により露呈させ、使用しないものを覆う位置まで移動されることを特徴とするカメラ。
【発明の詳細な説明】
【０００１】
【発明の属する技術分野】
本発明は、撮影レンズと操作部材とを覆う位置と露呈させる位置とで移動自在なカバー部材を備えたカメラに関するものである。
【０００２】
【従来の技術】
最近のカメラは高機能化し、撮影、再生、設定等の複数の操作モードを備えるものがある。それに伴い、それぞれの操作モード時に使用する操作ボタンを備えている。そこで、特開平９−２３０４６４号公報に記載されているカメラでは、撮影レンズを覆う位置と露呈させる位置とに摺動して移動可能である保護カバーを用いて、未使用時には撮影レンズとフラッシュと撮影時使用部材（モード切換スイッチやモード表示部材等）を保護カバーで覆い、撮影時には撮影レンズとフラッシュと撮影時使用部材を露呈させ、撮影時未使用部材（電池室やフイルム巻き戻しスイッチ等）を保護カバーで覆っている。
【０００３】
【発明が解決しようとする課題】
しかしながら、上記特開平９−２３０４６４号公報に記載されているカメラでは、撮影時及び操作時には、操作モードに関係なく全ての撮影時使用部材を露呈させており、それぞれの操作モード時に使用する操作ボタン以外の操作ボタンを操作すると、誤操作してしまうことがあった。また、未使用時には、撮影時未使用部材を露呈させており、携帯時に撮影時未使用部材が傷付いてしまうことがある。
【０００４】
本発明は、上記課題を解決するためのものであり、各モード時に使用しない操作レンズや操作部材が傷付いたり、誤操作するのを防止することのできるカメラを提供することを目的とする。
【０００５】
【課題を解決するための手段】
上記目的を達成するために、本発明のカメラは、撮影レンズと複数の操作部材とを有し、複数の操作モードで操作可能なものであり、前記撮影レンズと複数の操作部材とを覆うように形成され、前記撮影レンズと複数の操作部材とを個々に露呈させることができる露呈孔が設けられ、前記カメラに移動自在に取り付けられたカバー部材を備え、前記カバー部材は、未使用時には前記撮影レンズと複数の操作部材とを覆う位置まで移動され、複数の操作モードのそれぞれの操作モード時には前記撮影レンズと複数の操作部材とのうち使用するものを前記露呈孔により露呈させ、使用しないものを覆う位置まで移動されるものである。
【０００６】
【発明の実施の形態】
図１及び図２は、本発明を実施したデジタルカメラ２の撮影時の外観斜視図である。デジタルカメラ２は、カメラ本体３とスライドカバー４とから構成される。スライドカバー４は、カメラ本体３の幅方向でスライド可能に取り付けられている。カメラ本体３とスライドカバー４とは着脱可能になっている。
【０００７】
図１に示すように、カメラ本体３の前面には、撮影レンズ６が組み込まれたレンズ鏡筒７、ファインダ８を構成する対物側ファインダ窓９、被写体に向けてストロボ光を照射するストロボ発光部１０等が設けられている。
【０００８】
レンズ鏡筒７は、カメラ本体３が電源オフ状態にある際に、カメラ本体３の前面に設けられた鏡筒収納部１１内に収納され、後述するように撮影モードオンとともにカメラ本体３の前面から突出する。
【０００９】
図１に示すように、カメラ本体３の上面には、シャッタレリーズ操作に用いられるシャッタボタン１２と、撮影した画像を表示させる画像表示ボタン１３と、メニュー画像を表示させるメニューボタン１４とが設けられている。また、カメラ本体３の側面には、メモリカード１６がセットされるメモリカードスロット１７が設けられている。このメモリカードスロット１７の奥には、メモリカード１６へのデータの読み書きを行なうメモリカードリーダが内蔵されている。メモリカードスロット１７は、塵芥の侵入等を防止するために、開閉式の保護カバー１８によって保護されている。
【００１０】
カメラ本体３には、バッテリ２０がセットされるバッテリ室が設けられている。カメラ本体３の底面には、バッテリ室にアクセスするための開口部２１が設けられている。この開口部２１は、蓋部材２２によって開閉される。バッテリ室には、充電可能なバッテリ２０がセットされる。
【００１１】
図２に示すように、カメラ本体３の背面には、ファインダ８を構成する接眼側ファインダ窓２６、操作部２７、ビューファインダとして機能する画像表示用ＬＣＤ２８等が設けられている。カメラ本体３は、撮影を行う撮影モードと、撮影した画像データをＬＣＤ２８に再生表示する再生モードと、カメラ本体３の設定を行う設定モードとを備える。このため、操作部２７内には、撮影モード時に被写体画像の拡大・縮小ズームを行う拡大ボタン３１と縮小ボタン３２、再生モード時にＬＣＤ２８に再生表示された画像データの送り・戻しを行う送りボタン３３と戻しボタン３４、設定モード時にカメラ本体３の設定を行うＯＫボタン３５とキャンセルボタン３６、再生モード時にＬＣＤ２８に再生表示された画像データの拡大・縮小ズームを行う再生拡大ボタン３７と再生縮小ボタン３８が設けられている。
【００１２】
図１及び図２に示すように、スライドカバー４は、略コ字形状のフレーム４０から構成され、撮影レンズ露呈用の切欠き４１、前面孔４２、上面孔４３、背面孔４５，４６、４７、４８が設けられている。上面孔４２の内側方向には、各ボタン１２〜１４との接触防止用凹４０ａが、背面孔４５，４６の内側方向には、各ボタン２３〜２８との接触防止用凹４０ｂがそれぞれ設けられている。なお、スライドカバー４を、設定モード・再生モード・撮影モードの各モード位置までスライドさせると、図示しない位置決め機構により適当なクリック感を持って位置決めされるとともに、各モードオン用のスイッチを入力して各モードをオンにする。その際、オンになったモードがＬＣＤ２２に表示される。
【００１３】
図３は、本発明のデジタルカメラ２の電気的構成を示すブロック図であり、詳しくは図示しないが、レンズ鏡筒７には、焦点調整を行なうフォーカス用モータと、ズーミングを行なうズーム用モータとが組み込まれている。これらのモータは、カメラ本体３全体を制御するＣＰＵ５０に接続されたモータドライバ５１によって駆動制御される。また、レンズ鏡筒７内には、絞り兼用のシャッタユニットが組み込まれており、このシャッタユニットもＣＰＵ５０によって制御される。
【００１４】
レンズ鏡筒７の背後には、撮影レンズを透過した被写体光が撮像されるＣＣＤ５３が配置されている。このＣＣＤ５３には、ＣＰＵ５０によって制御されるタイミングジェネレータ５２からタイミング信号（クロック信号）が入力される。ＣＣＤ５３から出力された信号は、相関二重サンプリング回路（ＣＤＳ）５４に入力され、ＣＣＤ５２の各セルの蓄積電荷量に正確に対応したＲ、Ｇ、Ｂの画像データとして出力される。ＣＤＳ５４から出力された画像データは、増幅器（ＡＭＰ）５５で増幅され、Ａ／Ｄ変換器５６でデジタルデータに変換される。
【００１５】
画像入力コントローラ６０は、データバス６１を介してＣＰＵ５０に接続されており、ＣＰＵ５０の命令によってＣＣＤ５３，ＣＤＳ５４，ＡＭＰ５５，Ａ／Ｄ変換器５６を制御する。また、Ａ／Ｄ変換器５６から出力された画像データをビデオメモリ６２、あるいはバッファメモリ６３に書き込む。
【００１６】
ビデオメモリ６２は、画像表示用ＬＣＤ２８をビューファインダとして使用する際に、解像度の低い画像データが一時的に記録される。ビデオメモリ６２に記録された画像データは、データバス６１を介してＬＣＤドライバ６４に送られ、画像表示用ＬＣＤ２２に表示される。バッファメモリ６３は、撮像された高解像度の画像データが一時的に記録される。このバッファメモリ６３から読み出された画像データは、メディアコントローラ６５によって駆動制御されるメモリカードリーダによりメモリカード１６に記録される。
【００１７】
次に、本実施形態の作用について説明する。図４ａ及び図４ｂに示すように、デジタルカメラ２は、未使用状態では、カメラ本体３に設けられたレンズ鏡筒７、対物側ファインダ窓９、ストロボ発光部１０、シャッタボタン１２、画像表示ボタン１３、メニューボタン１４、接眼側ファインダ窓２６、操作部２７がスライドカバー４により覆われており、携帯する際に傷つくことがない。未使用状態では、蓋部材２２を開閉することができ、バッテリ２０の抜き差しを行うことができる。
【００１８】
図５ａ及び図５ｂに示すように、未使用状態からスライドカバー４を設定モードオン位置までスライドさせると、設定モードがオンされ、ＬＣＤ２８に設定モードと表示されるとともに、上面孔４３によりメニューボタン１４が、背面孔４５，４６によりＯＫボタン３５とキャンセルボタン３６とが露呈される。この設定モードでは、メニューボタン１４を入力するとＬＣＤ２８にメニュー画面が表示される。その際、ＯＫボタン３５とキャンセルボタン３６との入力により、カメラ本体３の設定を行うことができる。なお、設定モードでは使用しないレンズ鏡筒７、対物側ファインダ窓９、ストロボ発光部１０、シャッタボタン１２、画像表示ボタン１３、接眼側ファインダ窓２６、拡大ボタン３１、縮小ボタン３２、送りボタン３３、戻しボタン３４、再生拡大ボタン３７、再生縮小ボタン３８はスライドカバー４により覆われており、誤操作することがなく、傷付けることもない。
【００１９】
図６ａ及び図６ｂに示すように、スライドカバー４を再生モードオン位置までスライドさせると、再生モードがオンされ、ＬＣＤ２８に再生モードと表示されるとともに、上面孔４３により画像表示ボタン１３が、背面孔４５，４６、４７、４８により送りボタン３３、戻しボタン３４、再生拡大ボタン３７、再生縮小ボタン３８が露呈される。この再生モードでは、画像表示ボタン１３を入力するとＬＣＤ２８にメモリカード１６に記録されている画像データが表示される。その際、送りボタン３３を入力すると、表示する画像データを送り、次の画像データが表示され、戻しボタン３４を入力すると、表示する画像データを戻し、前の画像データが表示される。
【００２０】
また、再生拡大ボタン３７を入力すると、ＬＣＤ２８に再生表示した画像が拡大され、再生縮小ボタン３８を入力すると、縮小される。なお、再生モードでは使用しないレンズ鏡筒７、対物側ファインダ窓９、ストロボ発光部１０、シャッタボタン１２、メニューボタン１４、接眼側ファインダ窓２６、拡大ボタン３１、縮小ボタン３２、ＯＫボタン３５、キャンセルボタン３６はスライドカバー４により覆われており、誤操作することがなく、傷付けることもない。
【００２１】
図７ａ及び図７ｂに示すように、スライドカバー４を撮影モードオン位置までスライドさせると、撮影モードがオンされ、ＬＣＤ２８に撮影モードと表示されるとともに、レンズ鏡筒７、対物側ファインダ窓９、接眼側ファインダ窓２６が露呈され、前面孔４２によりストロボ発光部１０が、上面孔４３によりシャッタボタン１２が、背面孔４５，４６により拡大ボタン３１と縮小ボタン３２とが露呈される。また、撮影モードオンとともに、レンズ鏡筒７がカメラ本体３の前面から突出する。この撮影モードでは、被写体画像がＬＣＤ２８に表示される。その際、拡大ボタン３１を入力するとＬＣＤ２８に表示される被写体画像が拡大され、縮小ボタン３２を入力すると縮小される。そして、シャッタボタン１２を入力すると、被写体画像を撮影し、上述したようにメモリカード１６に記録される。なお、撮影モードでは使用しない画像表示ボタン１３、メニューボタン１４、送りボタン３３、戻しボタン３４、ＯＫボタン３５、キャンセルボタン３６、再生拡大ボタン３７、再生縮小ボタン３８はスライドカバー４により覆われており、誤操作することがなく、傷付けることもない。なお、スライドカバー４は、撮影モードオン位置から図７ａに示す矢印方向Ａには、図示しないストッパ機構によりスライドさせることができない。
【００２２】
撮影モードでの撮影終了後、図７ａに示す矢印方向Ｂにスライドカバー４をスライドさせると、撮影モードオフとなるとともに、瞬時にレンズ鏡筒７がカメラ本体３に収納される。
【００２３】
このように、設定モード、再生モード、撮影モードの各モード時には、スライドカバー４により、各ボタン１２〜１４及び３１〜３８のうち、各モードに使用するボタンが露呈され、使用しないボタンが覆われ、撮影モード以外のモード時には、レンズ鏡筒７、対物側ファインダ窓９、ストロボ発光部１０、接眼側ファインダ窓２６が覆われることから、誤操作することがなくなり、さらには、使用しないボタンやレンズ鏡筒等が傷付くのを防止することができる。また、蓋部材２２は、未使用状態では開閉することができるが、設定モード、再生モード、撮影モードではスライドカバー４により覆われており、開閉することができない。これにより、各モード時に誤ってバッテリ２０の抜き差しを行うことがない。
【００２４】
なお、上記実施形態では、未使用状態と、設定モード・再生モード・撮影モードの３つのモードとの４つの位置にスライドカバーをスライドさせる構成にしたが、これらモードの個数は適宜変更してもよい。また、カメラ本体に、設定モード時に露呈させるボタンを３個、再生モード時に露呈させるボタンを５個、撮影モード時に露呈させるボタンを３個設け、スライドカバーにボタンを露呈させるための孔を５個設け、それぞれのモード時には、５個の孔により３個または５個のボタンを露呈させる構成にしたが、これらボタン及び孔の個数は適宜変更してもよい。
【００２５】
また、上記実施形態では、１つのボタンを操作すると、１つの撮影・操作機能を行う構成にしたが、１つのボタンを異なる方法で操作すると、それぞれに応じた撮影・操作機能を行う構成にしてもよい。例えば、送りボタンの場合には、ボタン操作秒数が１秒未満だと１枚ずつ画像データを送り、１秒以上だと連続して画像データを送る。
【００２６】
さらに、上記実施形態では、スライドカバーを、カメラの４面（前面、上面、背面、下面）を覆うような形状にしたが、スライドカバーの形状は、カメラに設けられる撮影レンズ、撮影部材、操作部材、バッテリ等の配置位置及び形状に対応して変更してもよい。例えば、バッテリを背面から挿入するタイプのカメラであれば、下面は覆わない形状のものにする。
【００２７】
また、上記実施形態ではデジタルカメラの例について説明したが、本発明は、撮影レンズと複数の操作部材とを有し、複数の操作モードで操作可能なタイプであれば、ＡＰＳフイルムカメラ、８ｍｍフイルムビデオカメラ、デジタルビデオカメラ等の各種カメラに利用することができる。
【００２８】
【発明の効果】
以上説明したように、本発明のカメラによれば、撮影レンズと複数の操作部材とを覆うように形成され、撮影レンズと複数の操作部材とを個々に露呈させることができる露呈孔が設けられ、カメラに移動自在に取り付けられたカバー部材を備え、このカバー部材は、未使用時には撮影レンズと複数の操作部材とを覆う位置まで移動され、複数の操作モードのそれぞれの操作モード時には撮影レンズと複数の操作部材とのうち使用するものを露呈孔により露呈させ、使用しないものを覆う位置まで移動されるから、誤操作することがなくなり、使用しない操作部材が傷付くのを防止することができる。また、それぞれの操作モード時に使用しない操作部材は覆われており、デザインとしても外観をすっきりさせることができる。
【図面の簡単な説明】
【図１】本発明を実施したデジタルカメラの撮影モード時の前面外観斜視図である。
【図２】本発明を実施したデジタルカメラの撮影モード時の背面外観斜視図である。
【図３】本発明を実施したデジタルカメラの電気的構成を示すブロック図である。
【図４】本発明を実施したデジタルカメラの未使用状態の図である。
【図５】本発明を実施したデジタルカメラの設定モード時の図である。
【図６】本発明を実施したデジタルカメラの再生モード時の図である。
【図７】本発明を実施したデジタルカメラの撮影モード時の図である。
【符号の説明】
２　デジタルカメラ
３　カメラ本体
４　スライドカバー
６　撮影レンズ
７　レンズ鏡筒
８　ファインダ
９　対物側ファインダ窓
１０　ストロボ発光部１０
１１　鏡筒収納部
１２　シャッタボタン
１３　画像表示ボタン
１４　メニューボタン
２６　接眼側ファインダ窓
２７　操作部
２８　画像表示用ＬＣＤ
３１　拡大ボタン
３２　縮小ボタン
３３　送りボタン
３４　戻しボタン
３５　ＯＫボタン
３６　キャンセルボタン
３７　再生拡大ボタン
３８　再生縮小ボタン
４０　フレーム
４１　切欠き
４２　前面孔
４３　上面孔
４５〜４８　背面孔
【図１】
2004069830.tif 000003
【図２】
2004069830.tif 000004
【図３】
2004069830.tif 000005
【図４】
2004069830.tif 000006
【図５】
2004069830.tif 000007
【図６】
2004069830.tif 000008
【図７】
2004069830.tif 000009